(57)【要約】      （修正有）【課題】こんろ本体プレス一体型の組立構造を用い、薄型、コンパクト、低コストで、こんろ側面に、底部と側壁とのつなぎ目等の接続部が無く、かつトッププレート及び容器カバーの側面が外部に出ることが無く、デザイン性に優れたカセットこんろを提供する。【解決手段】プレス一体型のこんろ本体３８は、底部と底部の縁から継目無く一体的に立設する側壁部とを有し、底部は、第１底部と第１底部に隣接する第２底部とを有し、側壁部は、３辺において第１底部の縁から継目無く一体的に立設する第１側壁部と第２底部の縁から継目無く一体的にそれぞれ立設する第２側壁部とを有し、トッププレート２０は、正方形状を成し、第１側壁部の第１立設部の内側において第１張出部に載置されて支持され、容器カバー２４は、第２側壁部の第２立設部の内側において第２張出部に載置されて支持される。【選択図】図１
2018146119.tif 000002
【特許請求の範囲】
【請求項１】
プレス一体型のこんろ本体と、五徳及び汁受け皿を備えるトッププレートと、小型ガス容器を覆う容器カバーとを有し、
前記こんろ本体は、ガスバーナ、及び前記小型ガス容器を支持する長方形状の底部と、前記底部の縁から継目無く一体的に立設する側壁部とを有し、
前記底部は、前記ガスバーナを支持する正方形状の第１底部と、該第１底部に隣接し前記小型ガス容器を支持する長方形状の第２底部とを有し、
前記側壁部は、前記第２底部の側の１辺を除く３辺において前記第１底部の縁から継目無く一体的に立設する前記第１側壁部と、前記３辺の内の前記第２底部の側の前記１辺を挟んで対向する２辺において前記第１側壁部にそれぞれ連続し、前記第２底部の縁から継目無く一体的にそれぞれ立設する第２側壁部とを有し、
前記第１側壁部は、前記３辺において同じ高さを有し、その頂部は、前記ガスバーナの側から外側に張り出す第１張出部と、該第１張出部の縁から立設する第１立設部を有し、
前記トッププレートは、正方形状を成し、前記第１側壁部の前記第１立設部の内側において前記第１張出部に載置されて支持され、
前記第２側壁部は、前記第１側壁部から突出するように同じ高さの凸形状を有し、その頂部は、前記外側に張り出す第２張出部と、該第２張出部の縁から立設する第２立設部とを有し、
前記容器カバーは、前記第２側壁部の前記凸形状と対応する凹形状を成し、前記第２側壁部の前記第２立設部の内側において前記第２張出部に載置されて支持されることを特徴とするカセットこんろ。
【請求項２】
前記第１側壁部は、前記第２底部の側の１辺を除く３辺において前記第１底部の縁から継目無く一体的に立設する第１側壁、該第１側壁に直交する第２側壁、及び該第２側壁に直交し、前記第１側壁に対向する第３側壁を有し、
前記第２側壁部は、前記３辺の内の前記第２底部の側の前記１辺を挟んで対向する２辺において前記第１側壁、及び前記第３側壁にそれぞれ連続し、前記第２底部の縁から継目無く一体的にそれぞれ凸状に立設する第４側壁、及び第５側壁を有し、
前記トッププレートは、前記第１側壁、前記第２側壁、及び前記第３側壁の各張出部に載置され、
前記容器カバーは、前記第４側壁、及び前記第５側壁の各張出部に載置される請求項１に記載のカセットこんろ。
【請求項３】
前記こんろ本体の前記第１底部、及び前記第１側壁部で構成されるバーナ収容筺体と、該バーナ収容筺体内に収容される前記ガスバーナと、前記バーナ収容筺体の前記第１側壁部に載置される前記トッププレートとは、バーナ収容部を構成し、
前記こんろ本体の前記第２底部、及び前記第２側壁部で構成される容器収容筺体と、該容器収容筺体に収容される前記小型ガス容器、及び前記ガスバーナに供給するガスの圧力を調整するガバナと、前記容器収容筺体の前記第２側壁部に載置される前記容器カバーとは、容器収容部を構成し、
前記トッププレートは、前記ガスバーナに対応する開口を有し、前記ガスバーナの周囲に前記五徳、及び前記汁受け皿を備える請求項１又は２に記載のカセットこんろ。
【請求項４】
前記第２側壁部の高さは、前記小型ガス容器を前記容器収容部内に収容する高さを有し、
前記第１側壁部の高さは、前記第２側壁部の高さの１／２以下である請求項１〜３のいずれか１項に記載のカセットこんろ。
【請求項５】
前記こんろ本体は、前記底部と、前記側壁部と、更に、該側壁部の前記第１側壁部の前記３辺においてそれぞれ前記第１立設部の上端から継目無く一体的に立設する風防部と、を有する請求項１〜４のいずれか１項に記載のカセットこんろ。
【請求項６】
前記風防部は、外部空間と前記ガスバーナとを隔てるようにした複数の衝立部と、二次空気を取り込むための複数の空気導入部とが、交互に配置され、かつ、
前記複数の空気導入部のそれぞれに対向して、外風の進入を防ぐ遮蔽部が配置されており、前記遮蔽部と前記衝立部との間には前記空気導入部と連通した空間が設けられている請求項５に記載のカセットこんろ。
【請求項７】
前記トッププレートは、更に、前記風防部と協働して外風の進入を防ぐ内側風防部を有する請求項５又は６に記載のカセットこんろ。
【請求項８】
前記内側風防部は、前記ガスバーナと前記風防部とを隔てると共に厚み方向に貫通孔のない壁部と、前記トッププレートの上面に沿って配置された底板部とを有し、
前記上面と前記底板部との間には、空気の通り路となる通路部を有し、
該通路部は前記火炎口より低く配置されている請求項７に記載のカセットこんろ。
【発明の詳細な説明】
【技術分野】
【０００１】
本発明は、カセットこんろに係り、詳しくは、こんろ本体プレス一体型の組立構造を備えるカセットこんろに関する。
【背景技術】
【０００２】
近年、小型ガスボンベ等の小型ガス容器を使用するカセットこんろ等が、簡便であることから、卓上こんろ、又は携帯式こんろとして、屋内、屋外を問わず、様々な場所で用いられている。これらのカセットこんろの中には、五徳と汁受け皿と一体化したトッププレートが用いられているものがある（特許文献１参照）し、薄型にするために、図１３に示すように、こんろ本体にトッププレートを被せたカセットこんろもある。また、風の影響を防ぐために、こんろ本体に風防を備えたカセットこんろもある（特許文献２参照）。
【０００３】
特許文献１に開示のカセットコンロでは、トッププレートが用いられているものの、トッププレートは、小型ガス容器の直径より高い高さを持ち、複数の部材によって構成された複雑な構造の直方体形状のケースの上端片に載置されて支持されている。また、このカセットコンロの直方体形状のケースは、底部と、側壁部とを別々に成型して組み立てた２ピース構造の筺体となっている。
特許文献２に開示の携帯式ガスコンロでは、複雑な形状を有する直方体形状の筐体の側壁上に風防手段の外側風防手段を有しているものの、外側風防手段及び内側風防手段からなる風防手段と五徳と汁受け皿とは、トッププレートに相当する筐体の上面にそれぞれ設けられている。このため、筐体の上面は、複雑な形状をしており、筐体の側壁上に被せる構造となっている。このように、このガスコンロでは、風防手段は、筐体の上面と一体的に構成されても、側壁とは別体で構成されている。また、このガスコンロは、十分に薄型化されていない。
【０００４】
また、図１３〜図１５に示す薄型のカセットこんろ１００では、底部１０２と、複雑な形状の側壁部１０４とが繋がった本体一体型構造の筺体からなるこんろ本体１０６にトッププレート１０８を被せている。このため、図１４、及び図１５に示すように、側壁部１０４の頂部１１０において、一端外側に出た突出部分１１２を設けてこんろ側面１１４とし、この突出部分１１２から再度内側に折り曲げて支持部１１６を形成し、その先を再び折り曲げて立設させて立設部１１８を形成し、その先端を内側に折り曲げている。その上で、立設部１１８がトッププレート１０８の側壁１２０の内側に入るように、トッププレート１０８をこんろ本体１０６の側壁部１０４に被せて支持部１１６で支持するように構成している。
また、容器カバー１２２も、同様な構成でこんろ本体１０６の側壁部１０４に被せることによって、側壁部１０４に支持されている。
【先行技術文献】
【特許文献】
【０００５】
【特許文献１】特開２００３−１３０３５９号公報
【特許文献２】特開２０１３−１０８７１４号公報
【発明の概要】
【発明が解決しようとする課題】
【０００６】
ところで、特許文献１に開示のカセットコンロでは、トッププレートを直方体形状のケースの上端片に載置しているので、こんろ本体となるケースの底部と側壁部とを1ピース化できないし、薄型にできないという問題があった。
また、特許文献２に開示の携帯式ガスコンロでは、風防手段と五徳と汁受け皿とは、筐体の上面にそれぞれ設けられており、トッププレートに相当する筐体の上面を筐体の側壁上に被せる構造であり、筐体の側壁の内側に載せる構造になっていないし、直方体形状の筐体、特に上面の形状が複雑であるため、筺体の底部と側壁部とが繋がった本体一体型構造の筺体からなるこんろ本体とすることができるものの、こんろ本体、特に側壁と、風防手段、特に外側風防手段とを一体化、即ち1ピース化できないし、薄型にできないという問題があった。
【０００７】
また、図１３〜図１５に示す薄型のカセットこんろ１００では、トッププレート１０８を被せる構造で薄型にしているため、トッププレート１０８の側壁１２０と、こんろ本体１０６となる筺体の側壁部１０４とで、こんろ１００の薄い側面１１４を構成する必要がある。このため、筺体の側壁部１０４は、鍋などの調理器具が載置されるトッププレート１０８を支持するための強度が必要であるために、単純に折り曲げて支持部を作ることができず、図１５に示すように、折返して支持部１１６を作る必要がある。このため、こんろ本体１０６の側壁部１０４が複雑な形状となるため、底部１０２と一体化された本体一体型構造にはできるものの、こんろ本体プレス一体型の組立構造とするのが困難であるという問題があった。
また、カセットこんろ１００では、トッププレート１０８をこんろ本体１０６の上に被せているので、トッププレート１０８の方に風防手段を設ける必要があり、こんろ本体となる筺体の側壁部１０４と、風防手段、特に外側風防手段とを一体化、即ち1ピース化できないという問題があった。
【０００８】
本発明の目的は、上記従来技術の問題点を解消し、こんろ本体プレス一体型の組立構造を用いることができ、薄型で、コンパクトで、低コストで、かつこんろ側面に、底部と側壁とのつなぎ目などの接続部が無く、かつ、トッププレート及び容器カバーの側面が外部に出ることが無く、デザイン性に優れたカセットこんろを提供するものである。
【課題を解決するための手段】
【０００９】
上記目的を達成するために、本発明に係るカセットこんろは、プレス一体型のこんろ本体と、五徳及び汁受け皿を備えるトッププレートと、小型ガス容器を覆う容器カバーとを有し、こんろ本体は、ガスバーナ、及び小型ガス容器を支持する長方形状の底部と、底部の縁から継目無く一体的に立設する側壁部とを有し、底部は、ガスバーナを支持する正方形状の第１底部と、第１底部に隣接し小型ガス容器を支持する長方形状の第２底部とを有し、側壁部は、第２底部の側の１辺を除く３辺において第１底部の縁から継目無く一体的に立設する第１側壁部と、３辺の内の第２底部の側の１辺を挟んで対向する２辺において第１側壁部にそれぞれ連続し、第２底部の縁から継目無く一体的にそれぞれ立設する第２側壁部とを有し、第１側壁部は、３辺において同じ高さを有し、その頂部は、ガスバーナの側から外側に張り出す第１張出部と、第１張出部の縁から立設する第１立設部を有し、トッププレートは、正方形状を成し、第１側壁部の第１立設部の内側において第１張出部に載置されて支持され、第２側壁部は、第１側壁部から突出するように同じ高さの凸形状を有し、その頂部は、外側に張り出す第２張出部と、第２張出部の縁から立設する第２立設部とを有し、容器カバーは、第２側壁部の凸形状と対応する凹形状を成し、第２側壁部の第２立設部の内側において第２張出部に載置されて支持されることを特徴とする。
【００１０】
ここで、第１側壁部は、第２底部の側の１辺を除く３辺において第１底部の縁から継目無く一体的に立設する第１側壁、第１側壁に直交する第２側壁、及び第２側壁に直交し、第１側壁に対向する第３側壁を有し、第２側壁部は、３辺の内の第２底部の側の１辺を挟んで対向する２辺において第１側壁、及び第３側壁にそれぞれ連続し、第２底部の縁から継目無く一体的にそれぞれ凸状に立設する第４側壁、及び第５側壁を有し、トッププレートは、第１側壁、第２側壁、及び第３側壁の各張出部に載置され、容器カバーは、第４側壁、及び第５側壁の各張出部に載置されることが好ましい。
【００１１】
また、こんろ本体の第１底部、及び第１側壁部で構成されるバーナ収容筺体と、バーナ収容筺体内に収容されるガスバーナと、バーナ収容筺体の第１側壁部に載置されるトッププレートとは、バーナ収容部を構成し、こんろ本体の第２底部、及び第２側壁部で構成される容器収容筺体と、容器収容筺体に収容される小型ガス容器、及びガスバーナに供給するガスの圧力を調整するガバナと、容器収容筺体の第２側壁部に載置される容器カバーとは、容器収容部を構成し、トッププレートは、ガスバーナに対応する開口を有し、ガスバーナの周囲に五徳、及び汁受け皿を備えることが好ましい。
また、第２側壁部の高さは、小型ガス容器を容器収容部内に収容する高さを有し、第１側壁部の高さは、第２側壁部の高さの１／２以下であることが好ましい。
また、こんろ本体は、底部と、側壁部と、更に、側壁部の第１側壁部の３辺においてそれぞれ第１立設部の上端から継目無く一体的に立設する風防部と、を有することが好ましい。
また、風防部は、外部空間とガスバーナとを隔てるようにした複数の衝立部と、二次空気を取り込むための複数の空気導入部とが、交互に配置され、かつ、複数の空気導入部のそれぞれに対向して、外風の進入を防ぐ遮蔽部が配置されており、遮蔽部と衝立部との間には空気導入部と連通した空間が設けられていることが好ましい。
また、遮蔽部は、空気導入部より外側に配置されており、連通した空間は、外風が異なる方向から入ってくるように形成されていることが好ましい。
また、空気導入部の上と遮蔽部の上部とを繋ぐ上側板状部と、空気導入部の下と遮蔽部の下部とを繋ぐ下側板状部とを有することが好ましい。
また、トッププレートは、風防部より内側に五徳を有し、風防部の上縁が五徳の上縁より低く配置されていることが好ましい。
また、風防部の上縁には、五徳の上縁の内の最上端より高くなるようにした複数の突出部が設けられていることが好ましい。
【発明の効果】
【００１２】
本発明によれば、こんろ本体プレス一体型の組立構造を用いることができる。
また、本発明によれば、薄型で、コンパクトで、低コストで、かつこんろ側面に、底部と側壁とのつなぎ目などの接続部が無く、かつ、トッププレート及び容器カバーの側面が外部に出ることが無く、デザイン性に優れたカセットこんろを提供することができる。
【図面の簡単な説明】
【００１３】
【図１】本発明の一実施形態に係るカセットこんろの一例の斜視図である。
【図２】図１に示すカセットこんろのトッププレートを取外した状態を示す斜視図である。
【図３】図１に示すカセットこんろのＡ−Ａ線で切断した断面図である。
【図４】図１に示すカセットこんろのＢ−Ｂ線で切断した断面図である。
【図５】図３に示すカセットこんろのＣ部分の部分拡大断面図である。
【図６】図４に示すカセットこんろのＤ部分の部分拡大断面図である。
【図７】本発明の他の実施形態に係るカセットこんろの一例の斜視図である。
【図８】図７に示すカセットこんろのトッププレートを取外した状態を示す斜視図である。
【図９】図７に示すカセットこんろの側面の部分拡大断面図である。
【図１０】本発明の他の実施形態に係るカセットこんろの一例の斜視図である。
【図１１】図１０に示すカセットこんろの平面図である。
【図１２】図１０に示すカセットこんろの側面の部分拡大断面図である。
【図１３】従来技術のカセットこんろの一例の斜視図である。
【図１４】図１３に示すカセットこんろのＥ−Ｅで切断した断面図である。
【図１５】図１３に示すカセットこんろのＧ部分の部分拡大断面図である。
【発明を実施するための形態】
【００１４】
以下に、本発明に係る圧力感知安全装置を、添付の図面に示す好適実施形態に基づいて詳細に説明する。
図１は、本発明の第１実施形態に係るカセットこんろの一例の斜視図である。図２は、図１に示すカセットこんろのトッププレートを取外した状態を示す斜視図である。図３は、図１に示すカセットこんろのＡ−Ａ線で切断した断面図である。図４は、図１に示すカセットこんろのＢ−Ｂ線で切断した断面図であり、ガバナ及び容器着脱装置を省略した図である。図５は、図３に示すカセットこんろのＣ部分の部分拡大断面図である。図６は、図４に示すカセットこんろのＤ部分の部分拡大断面図である。
【００１５】
図示例のカセットこんろ１０は、バーナ収容部１２と、容器収容部１４とからなる。
バーナ収容部１２は、略直方形状のバーナ収容筐体１６と、バーナ収容筐体１６の内部に収容されるガスバーナ１８と、バーナ収容筐体１６上に載置される略正方形状のトッププレート２０とを有する。
トッププレート２０は、ガスバーナ１８の円形に配置された複数の火口１８ａに対応する位置に形成された円形の開口２０ａと、開口２０ａから外周部分に向って形成されたリング状の凹部によって構成される汁受け皿２０ｂと、ガスバーナ１８上に位置するようにトッププレート２０に載置され、その上に鍋やフライパンなどの調理器具を乗せる複数、図示例では４本の五徳２０ｃと、を有する。
【００１６】
容器収容部１４は、図示しない小型ガス容器を収容する容器収容筐体２２と、容器収容筐体２２上を覆う容器カバー２４と、容器収容筐体２２内に設けられるガバナ２６ａとマグネット式容器着脱装置２６ｂと、ガバナ２６ａに接続されて容器収容筐体２２の外側に取り付けられ、カセットこんろ１０の着火、消火を司る操作つまみ２８と、を有する。
バーナ収容部１２のバーナ収容筐体１６は、図１〜図４に示すように、ガスバーナ１８を支持する略正方形状の第１底部３０と、略正方形状の第１底部３０の３辺の縁から継目無く一体的に立設する第１側壁部３２とを有する。
一方、容器収容部１４の容器収容筐体２２は、図１〜図４に示すように、図示しない小型ガス容器を支持する略長方形状の第２底部３４と、略長方形状の第２底部３４の対向する２つの短辺の縁から継目無く一体的に立設する第２側壁部３６とを有する。
【００１７】
ここで、バーナ収容部１２のバーナ収容筐体１６と、容器収容部１４の容器収容筐体２２とは、一体的に連続した筺体であり、一体化されたこんろ本体３８を構成している。
したがって、バーナ収容筐体１６の第１底部３０と、容器収容筐体２２の第２底部３４とは、一体的に連続しており、一体化された底部４０を構成している。
また、バーナ収容筐体１６の第１側壁部３２と、容器収容筐体２２の第２側壁部３６とは、一体的に連続しており、一体化された側壁部４２を構成している。
こんろ本体３８は、底部４０と、底部の縁から継目無く一体的に立設する側壁部４２とから構成される。
【００１８】
また、こんろ本体３８の底部４０の第１底部３０は、中央部分から図中右側手前（容器収容部１４のガバナ２６ａ）側に向って延びる、ガスバーナ１８を固定して支持するための凹部３０ａと、複数、図示例では４つの脚部４４をそれぞれ取り付けるための４つの凹部３０ｂ等とを有する。
こんろ本体３８の側壁部４２の第１側壁部３２は、バーナ収容筐体１６側の１辺を除く略正方形状の第１底部３０の３辺の縁から継目無く一体的に同じ高さに長方形状に立設するもので、図中右側手前側の第１側壁３２ａと、第１側壁３２ａから湾曲して直交する方向に延びる第２側壁３２ｂと、第２側壁３２ｂから湾曲して直交する方向に延び、第１側壁３２ａに平行に対向して配置される第３側壁３２ｃとを有する。
【００１９】
こんろ本体３８の底部４０の第２底部３４は、略長方形の長手方向に、即ち図中手前（ガバナ２６ａ）側から図中奥前側に向って延びる、図示しない小型ガス容器を支持するための凹部３４ａ等を有する。
こんろ本体３８の側壁部４２の第２側壁部３６は、第２底部３４の対向する２つの短辺の縁から継目無く一体的に同じ高さの凸形状に立設し、図中右側手前側の第４側壁３６ａと、第４側壁３６ａに平行に対向して配置される第５側壁３６ｂとを有する。
ここで、第４側壁３６ａは、第１側壁３２ａから一体的に連続し、一体化された側壁であり、こんろ本体３８の側壁部４２を構成し、カセットこんろ１０の側面の一部となる。
また、第５側壁３６ｂは、第３側壁３２ｃから一体的に連続し、一体化されたた側壁であり、こんろ本体３８の側壁部４２を構成し、カセットこんろ１０の側面の一部となる
その結果、第４側壁３６ａ、第１側壁３２ａ、第２側壁３２ｂ、第３側壁３２ｃ、及び第５側壁３６ｂは、こんろ本体３８の側壁部４２を構成し、カセットこんろ１０の連続した側面全面を構成する。
【００２０】
ここで、こんろ本体３８の側壁部４２の第１側壁部３２の第１側壁３２ａ、第２側壁３２ｂ、及び第３側壁３２ｃは、トッププレート２０を載置して支持する。第１側壁部３２の第１側壁３２ａ、第２側壁３２ｂ、及び第３側壁３２ｃの頂部３３は、いずれも図３、及び図３のＣ部拡大図である図５に示すように、例えば、第１側壁３２ａの立設壁３３ａからガスバーナ１８とは逆の外側に向って張り出す第１張出部３３ｂと、第１張出部３３ｂの縁から立設する第１立設部３３ｃを有している。
一方、略正方形状のトッププレート２０の縁の少なくとも３辺の底端部２１は、図中下方に延びる側壁２１ａを有している。
【００２１】
トッププレート２０の底端部２１の側壁２１ａの底端は、こんろ本体３８の側壁部４２の第１側壁３２ａの頂部３３の第１立設部３３ｃの内側において第１張出部３３ｂに載置されることによって支持される。なお、トッププレート２０の残りの２辺の底端部２１の側壁２１ａの底端も、こんろ本体３８の残りの２辺の側壁部４２の第２側壁３２ｂ、及び第３側壁３２ｃの頂部３３の第１立設部３３ｃの内側において第１張出部３３ｂに載置されることによって支持される。
こうして、トッププレート２０は、こんろ本体３８の側壁部４２の内側において載置されて支持される。
【００２２】
また、こんろ本体３８の側壁部４２の第２側壁部３６の第４側壁３６ａ、及び第５側壁３６ｂは、容器カバー２４を載置して支持する。第２側壁部３６の凸状の第４側壁３６ａ、及び第５側壁３６ｂの頂部３７は、いずれも図４、及び図４のＤ部拡大図である図６に示すように、例えば、第４側壁３６ａの立設壁３７ａから外側に向って張り出す第２張出部３７ｂと、第２張出部３７ｂの縁から立設する第２立設部３７ｃを有している。
一方、略凸形状の容器カバー２４の縁の２辺の底端部２５は、凸状の第４側壁３６ａに嵌り合う凹形状をしており、図中下方に延びる側壁２５ａを有している。
【００２３】
容器カバー２４の長手方向の一方の端部の凹状の底端部２５の側壁２５ａの底端は、こんろ本体３８の側壁部４２の第２側壁部３６の凸状の第４側壁３６ａの頂部３７の第２立設部３７ｃの内側において第２張出部３７ｂに載置されることによって支持される。
なお、容器カバー２４の対向する他方の端部の底端部２５の側壁２５ａの底端も、こんろ本体３８の残りの１辺の側壁部４２の第５側壁３６ｂの頂部３７の第２立設部３７ｃの内側において第２張出部３７ｂに載置されることによって支持される。
こうして、容器カバー２４は、こんろ本体３８の側壁部４２の内側において載置されて支持される。
ここで、第２側壁部３６の高さは、小型ガス容器を容器収容部１４内に収容する高さ、例えば、収容できるが、できるだけ低い高さとすることが好ましい。
また、第１側壁部３２の高さは、本発明のカセットこんろ１０をできるだけ薄型のこんろとするためには、上記のような第２側壁部３６の高さの１／２以下であることが好ましい。
【００２４】
以上のように、トッププレート２０も、容器カバー２４も、こんろ本体３８の側壁部４２の内側において載置されて支持されるので、プレス一体型のこんろ本体とすることができ、本発明のカセットこんろとして、こんろ本体プレス一体型の組立構造を用いることができる。
その結果、薄型で、コンパクトで、低コストで、かつこんろ側面に、底部と側壁とのつなぎ目などの接続部が無く、かつ、トッププレート及び容器カバーの側面が外部に出ることが無く、デザイン性に優れたカセットこんろを提供することができる。
本発明のカセットこんろにおいて、こんろ本体によるトッププレート、及び容器カバーの支持構造は、以上のように構成される。
【００２５】
次に、本発明のカセットこんろの構成要素について説明する。
本発明のカセットこんろ１０のバーナ収容部１２のバーナ収容筐体１６の内部に収容されるガスバーナ１８は、小型ガス容器（図示せず）から供給される燃料ガスを燃焼させるもので、円形に配置された複数の火口１８ａから吹き出す火炎によってトッププレート２０の複数の五徳に載置された調理器具（図示せず）を加熱する。
ガスバーナ１８には、ガス導管１８ｂの一方の端部は接続されており、ガス導管１８ｂの他方の端部は、ガバナ２６ａに接続される。
また、ガスバーナ１８の火口１８ａの近傍には、火口１８ａから吹き出す燃料ガスを点火させるためのイグナイタ（点火装置）４６の電極４６ａが取り付けられている。
【００２６】
トッププレート２０は、円形の開口２０ａ部分では上方に凸状に湾曲しており、開口２０ａから外周部分に向って下方に向って湾曲してリング状の凹部からなる汁受け皿２０ｂを形成し、汁受け皿２０ｂから外周部分に向って傾斜して立ち上がっている。トッププレート２０の外周側の部分は、略正方形状の平板状の頂板部２０ｄを形成し、正方形状の外周側の縁部において頂板部２０ｄから下方に傾斜しており、その端部から折れ曲がって垂下して底端部２１を形成している。頂板部２０ｄには、その正方形状の４隅に４本の五徳２０ｃが取り付けられている。
【００２７】
容器収容部１４の容器カバー２４は、容器着脱装置２６ｂにマグネットによって装着され、かつ容器収容筐体２２内に支持・固定された小型ガス容器（図示せず）の上部を覆うものである。容器カバー２４は、円筒形の小型ガス容器（図示せず）に対応した凸形状を有する。容器カバー２４の頂部には、小型ガス容器の有無を確認するための確認孔４７が形成されている。容器カバー２４の長手方向の両端部は、凸形状の内側に折れ曲がって垂下して凹形状の底端部２５を形成しており、こんろ本体３８の第２側壁部３６の凸状の第４側壁３６ａ及び３６ｂによって支持される。
容器カバー２４の短手方向の一方の端部の長手方向の両端部の底端部２５は、他より大きく突出しており、こんろ本体３８の第２側壁部３６の凸状の第４側壁３６ａ及び３６ｂの末端部にそれぞれ固定されたピン４８に回転可能に支持されている。
こうして、容器カバー２４は、ピン４８を中心に回動し、容器収容筐体２２に上方から蓋をする。
【００２８】
ガバナ２６ａは、小型ガス容器から供給される燃料ガスの圧力を調整する。特に、ガバナ２６ａは、通路遮断方式の圧力感知安全装置であり、小型ガス容器（図示せず）の圧力が所定圧力より高くなった場合、例えば異常圧力になった場合には、小型ガス容器からガスバーナ１８に送られる燃料ガスの通路を遮断するとともに、小型ガス容器を容器着脱装置２６ｂから脱離させる。また、ガバナ２６ａは、容器収容筐体２２の外側に取り付けられた操作つまみ２８とも連動するように構成されており、操作つまみ２８を回転させることにより、小型ガス容器（図示せず）からガスバーナ１８に燃料ガスを供給して着火させたり、供給される燃料ガスの圧力、又はガス量を調整したり、燃料ガスを供給を遮断して消火させたりする。
容器着脱装置２６ｂは、小型ガス容器（図示せず）の着脱をマグネットによって行うものである。容器着脱装置２６ｂは、マグネット式に限定されず、通路遮断方式のガバナが適用可能なものであれば、特に制限的ではなく、従来公知の容器着脱装置を用いることができる。例えば、公知のレバー式容器着脱装置等であっても良いし、本出願人に係る特許第５５３８３３９号に開示されたレバー式容器着脱装置等であっても良い。
【００２９】
ここで、小型ガス容器から容器着脱装置２６ｂ、及びガバナ２６ａを介して供給される燃料ガスは、ガス導管１８ｂ、及びガス・空気混合器（図示せず）等を通って、空気と混合されながら、ガスバーナ１８に供給される。
そして、操作つまみ２８の正（右）方向の回転により、小型ガス容器から燃料ガスが、容器着脱装置２６ｂ、ガバナ２６ａ、ガス導管１８ｂ等を通って、ガスバーナ１８に供給されると共に、イグナイタ４６が押されてパルス電圧が発生し、そのパルス電圧によって電極４６ａが放電することで、燃料ガスが点火する。逆に、操作つまみ２８の逆（左）方向の回転により、小型ガス容器からガスバーナ１８への燃料ガスの供給が停止され、燃焼している燃料ガスが消火される。
本発明の第１実施形態のカセットこんろは、基本的に以上のように構成される。
【００３０】
図７は、本発明の第２実施形態に係るカセットこんろの一例の斜視図である。図８は、図７に示すカセットこんろのトッププレートを取外した状態を示す斜視図である。図９は、図７に示すカセットこんろの側面の部分拡大断面図である。
図示例のカセットこんろ５０は、バーナ収容部５２と、容器収容部１４とからなる。
バーナ収容部５２は、略直方形状のバーナ収容筐体５４と、バーナ収容筐体５４の内部に収容されるガスバーナ１８と、バーナ収容筐体５４上に載置される略正方形状のトッププレート２０とを有する。
バーナ収容筐体５４は、図７〜図９に示すように、ガスバーナ１８を支持する略正方形状の第１底部３０と、略正方形状の第１底部３０の３辺の縁から継目無く一体的に立設する第１側壁部３２と、第１側壁部３２の頂部３３の第１立設部３３ｃの上端から継目無く一体的に連続して延びる風防部５６と、を有する。
【００３１】
図７〜図９に示すカセットこんろ５０、バーナ収容部５２、及びバーナ収容筐体５４は、カセットこんろ５０の側面において第１側壁部３２（第１側壁３２ａ、３２ｂ、及び３２ｃ）の頂部３３の第１立設部３３ｃの上端から継目無く一体的に連続して延びる風防部５６を有している点を除いて、それぞれ、図１〜図６に示すカセットこんろ１０、バーナ収容部１２、及びバーナ収容筐体１６と同様の構成を有するものであるので、同一の構成要素には、同一の番号を付し、その説明を省略する。
風防部５６は、第１側壁部３２の第１〜３側壁３２ａ、３２ｂ、及び３２ｃの全てにおいて、それぞれ第１立設部３３ｃの上端から継目無く一体的に連続して延びている風防壁５６ａ、５６ｂ、及び５６ｃからなる。なお、風防部５６は、第２側壁部３６の第１〜側壁３６ａ、及び３６ｂには、設けられていない。風防部５６は、火炎への強風の吹き込みを抑えるためのもので、水平方向について外部空間Ｓとガスバーナ１８とを隔てている。風防部５６は、複数の衝立部５８と、複数の空気導入部６０とが交互に配置されて形成されている。
【００３２】
衝立部５８は、外部空間Ｓとガスバーナ１８とを隔てるように起立して、主に、外風が強く内側に吹き込んでくることを防止するための手段であり、空気導入部６０は、主に二次空気を取り込むための空間である。
具体的には、全体がコの字型形状である枠体である風防部５６の平板状部の厚み方向に複数の貫通孔を形成することで、この貫通孔を空気導入部６０にすると共に、貫通孔ではない部分を衝立部５８としている。このため、本実施形態の風防部５６では、空気導入部６０の上下に平板状部が存在し、これらの上下の平板状部も外部空間Ｓとガスバーナ１８とを隔てて、外風の吹き込みを防止する衝立部５８ａ、及び５８ｂとして機能を果たしている。
空気導入部６０は、図示例では、四角形であるが、本発明はこれに限られない。好ましくは、空気導入部６０は、ガスバーナ１８の上端より下に配置されるのがよい。
【００３３】
そして、複数の空気導入部６０のそれぞれに対向して遮蔽部６４が配置され、遮蔽部６４と衝立部５８との間には、空気導入部６０と連通した空間（以下、「連通空間」という）６１が設けられている。即ち、連通空間６１と空気導入部６０とが繋がるように、空気導入部６０と遮蔽部６４との間には所定の間隔が設けられており、これにより、外風は、連通空間６１を介して空気導入部６０を通過し、燃焼用の二次空気として供給される。なお、上記所定の間隔は、例えば４ｍｍ程度とされている。
【００３４】
本実施形態の風防部５６は、第１底部３０、及び第２底部３４からなる底部４０と、第１側壁部３２、及び第２側壁部３６からなる側壁部４２と共に、プレス一体型こんろ本体６２として形成されるが、風防部５６を構成するコの字型形状の枠体の高さ方向の中央領域を絞り加工で外側に押し出すことにより、衝立部５８、空気導入部６０、遮蔽部６４、及び連通空間６１を同時に形成するようになっている。なお、プレス一体型こんろ本体６２は、第１底部３０、第１側壁部３２、及び風防部５６を備えるバーナ収容筐体５４と、第２底部３４、及び第２側壁部３６を備える容器収容筐体２２からなる。
また、この絞り加工によって、空気導入部６０の上の衝立部（平板状部）５８ａと遮蔽部６４の上部とを繋ぐ上側板状部６４ａが形成されると共に、空気導入部６０の下の衝立部（平板状部）５８ｂと遮蔽部６４の下部とを繋ぐ下側板状部６４ｂが形成されている。
【００３５】
そして、空気導入部６０に正対して視認した際、遮蔽部６４と上側板状部６４ａと下側板状部６４ｂで、空気導入部６０が隠されるようになっている。即ち、図示例では、上側板状部６４ａは外側に向うに従って下となる傾斜面とされ、下側板状部６４ｂは外側に向うに従って上となる傾斜面とされている。また、空気導入部６０と上側板状部６４ａから下側板状部６４ｂまでとは同様の高さとされ、空気導入部６０と遮蔽部６４・上側板状部６４ａ・下側板状部６４ｂとは同様の幅とされている。
このように上側板状部６４ａを設けることで、鍋類からの吹きこぼれが、空気導入部６０と遮蔽部６４との間の空間に詰まる恐れを防止でき、その意味で上側板状部６４ａは庇部とも言える。また、上側板状部６４ａと下側板状部６４ｂの双方を設けることで、一つの遮蔽部６４の左右両側にのみ連通空間６１、及び６１が形成されることになる。この左右の連通空間６１、及び６１は互いに対向している。
【００３６】
上述したように、風防部５６は、種々な構成を有するため、外風が風防部５６に正対して吹きつけると、外風と正対する面では、外風は、遮蔽部６４、上側板状部６４ａ、及び下側板状部６４ｂに遮られて、空気導入部６０に直接吹き込むことが防止される。なお、傾斜された上側板状部６４ａ、及び下側板状部６４ｂに当たった外風は、その上下の衝立部５８ａ、及び５８ｂにより内側への吹き込みが防止される。また、遮蔽部６４の左右両側の連通空間６１、及び６１から吹き込んできた外風は、外風同士が干渉し合って、風の勢いを弱めながら空気導入部６０を通過することになる。
なお、風防部５６に対して斜めに吹きつける外風の場合であっても、外風の一部は遮蔽部６４に遮られ、また、一部は衝立部５８に衝突しながら内側に入ろうとし、更に、空気導入部６０の間隔は、それ程大きくはないため、少なくとも大量の外風が直接、空気導入部６０を通過することはない。このため、正対して外風が吹きつけられた場合ほどではないにせよ、風の勢いを弱めながら、空気導入部６０を通過することになる。
【００３７】
更に、外風が吹きつけると、その一部が空気導入部６０に入り込み、その連通空間６１を通過し、反対側の空気導入部６０から吹き出し、衝立部５８を通過し、隣接する空気導入部６０に入り込むことを繰り返し、複数の衝立部５８と衝立部５８より外側に配置された複数の遮蔽部６４との間を連続して通過することになる。従って、連通空間６１が陰圧になって、内側の熱い空気は空気導入部６０に向かって引っ張られ、外部空間Ｓに放出されることになる。すなわち、風防部５６が四角形状の枠体とされ、かつ、一つの遮蔽部６４の左右両側に連通空間６１、及び６１が設けられることで、風防部５６により生じ易い熱の篭りの問題も軽減できる。
【００３８】
また、本実施形態においては、風防部５６の上縁は、五徳２０ｃの上縁より低く配置されることが好ましい。これにより、いかなるサイズの鍋類を五徳２０ｃに載置した場合であっても、その鍋類と風防部５６の上縁との間にスペースを確保できる。従って、鍋類の底を伝わって流れてきた熱い排気ガスは、容易にこのスペースから排出されて、カセットこんろ５０自体の加熱を防止できる。
本実施形態では、以上のような効果を有する風防部５６を、底部４０、及び側壁部４２とプレス一体型こんろ本体６２として成型することができる。したがって、本発明のカセットこんろとして、こんろ本体プレス一体型の組立構造を用いることができる。
その結果、薄型で、コンパクトで、低コストで、かつこんろ側面に、底部と側壁と風防部のつなぎ目などの接続部が無く、かつ、トッププレート及び容器カバーの側面が外部に出ることが無く、デザイン性に優れたカセットこんろを提供することができる。
本発明の第２実施形態のカセットこんろは、基本的に以上のように構成される。
【００３９】
図１０は、本発明の第３実施形態に係るカセットこんろの一例の斜視図である。図１１は、図１０に示すカセットこんろの平面図である。図１２は、図１０に示すカセットこんろの側面の部分拡大断面図である。
図示例のカセットこんろ７０は、バーナ収容部７２と、容器収容部１４とからなる。
バーナ収容部７２は、略直方形状のバーナ収容筐体５４と、バーナ収容筐体５４の内部に収容されるガスバーナ１８と、バーナ収容筐体５４上に載置される略正方形状のトッププレート７４とを有する。
トッププレート７４は、ガスバーナ１８の円形に配置された複数の火口１８ａに対応する位置に形成された円形の開口７４ａと、開口７４ａから外周部分に向って形成されたリング状の凹所７３によって構成される汁受け皿７４ｂと、ガスバーナ１８上に位置するようにトッププレート７４に載置され、その上に鍋やフライパンなどの調理器具を乗せる複数、図示例では４本の五徳７４ｃと、開口７４ａを囲むようにガスバーナ１８の周囲に配置され、風防部５６と協働して外風の進入を防ぐ内側風防部７６と、を有する。
【００４０】
図１０〜図１２に示すカセットこんろ７０、バーナ収容部７２、及びトッププレート７４は、トッププレート７４が更に内側風防部７６を有し、開口７４ａ、汁受け皿７４ｂ、及び五徳７４ｃの形状が異なる点を除いて、それぞれ、図７〜図９に示すカセットこんろ５０、バーナ収容部５２、及びトッププレート２０と同様の構成を有するものであるので、同一の構成要素には、同一の番号を付し、その説明を省略する。
トッププレート７４は、全体が略矩形状、平面視が略正方形とされ、その中央部に円形の開口７４ａを有している。トッププレート７４は、火口１８ａが露出するようにして開口７４ａ内にガスバーナ１８を収容している。開口７４ａの周囲は、トッププレート７４が平面視においてリング状に窪んだ凹所７３となり、この凹所７３が、煮こぼれ等を受けとめる汁受け皿７４ｂにされると共に、燃焼用の二次空気を導くための通路の一部にされている（この点については、後で詳細に説明する）。
【００４１】
このリング状の凹所７３は、図１２に示すように、外周部７３ａ、及び内周部７３ｂが傾斜面とされ、外周部７３ａと内周部７３ｂとの間の中央領域７３ｃは、平坦面とされている。この中央領域７３ｃの上には、所定の高さを有する複数の土台７８が固定されており、この土台７８に五徳７４ｃの脚部７５ａが接続されている。本実施形態の土台７８は錐台状であり、リング状の円周に沿って等間隔に４個設けられている。
また、トッププレート７４は、耐熱性に優れたホーロー等で形成されていることが好ましい。なお、ホーローは、周知のものを利用でき、金属の表面にガラス質を主成分とする釉薬を塗って高温で焼きつけて形成できる。
そして、トッププレート７４の折り曲げ加工された底端部７４ｅの側壁７４ｆは、こんろ本体６２の第１側壁部３２（第１側壁３２ａ）の頂部３３の第１立設部３３ｃの内側において、頂部３３の第１張出部３３ｂに載置されることにより、係止されて支持されている。
【００４２】
五徳７４ｃは、図１０に示すように、トッププレート７４の四隅からガスバーナ１８に向かって延伸して形成され、４本の五徳７４ｃでガスバーナ１８を囲んでいる。各五徳７４ｃは２本の脚部７５ａ、及び７５ｂを有し、外側の脚部７５ｂは、トッププレート７４の頂板部７４ｄの四隅に固定され、内側の脚部７５ａは、図１０、及び図１２に示すように、上述した土台７８に固定されている。本実施形態の五徳７４ｃは、トッププレート７４と同様にホーロー等から形成されていることが好ましい。このように、トッププレート７４側の部材がホーローで形成されていることが好ましいのは、風防部５６、及び内側風防部７６の２重の風防手段を設けたことで、通常のカセットこんろに比べて加熱され易くなっているためである。
【００４３】
内側風防部７６は、ガスバーナ１８の周囲に配置されており、ガスバーナ１８を備えるこんろ本体６２の内部と外部空間Ｓとを隔てて火炎への強風の吹き込みを抑える風防部５６と協働して、強風が吹いたとしても、その強風のガスバーナ１８への吹き込みを防止できるものである。なお、風防部５６は、内側風防部７６に対して外側にあるので、外側風防部ということができる。
内側風防部７６は、図１１に示すように、平面視において、ガスバーナ１８の周囲に配置されて幅の広いリング状をなす部分であり、図１０に示すように、全体がフライパンないし浅い洗面器のような形状をしている。すなわち、内側風防部７６は、ガスバーナ１８と風防部５６とを隔てるように起立した壁部７６ｂと、この壁部７６ｂに連続して形成された底板部７６ａとを有し、底板部７６ａの中央領域に形成された開口７４ａからガスバーナ１８の火口１８ａを含む上部が露出するようになっている。
【００４４】
壁部７６ｂは、ガスバーナ１８を取り囲んだ壁であり、厚み方向に貫通孔は存在せず、これにより、図１２に示すように、風防部５６より内側であって、壁部７６ｂより外側の空間（以下、「侵入空間」という）Ｓ１に入ってきた風が火炎を横倒しすることを防止している。なお、貫通孔のない内側風防部７６は内側に熱が篭り易いため、熱放散性に優れたホーロー等で形成されていることが好ましい。
具体的には、壁部７６ｂは、侵入空間Ｓ１に入ってきた風が直接火炎に当たらないような高さＨ２を有し、図１２の場合、少なくとも上端部７６ｃが空気導入部６０と同等以上に配置されている。なお、壁部７６ｂの高さＨ２については、風防部５６の風防壁（５６ａ）の上縁５９と内側風防部７６の上端部７６ｃとを直線で結んだ仮想線Ｍｇが、ガスバーナ１８の火口１８ａより上を通るような高さとされるのが好ましい。さらに、例えば、鍋類の底面積が風防部５６で囲まれた面積よりも相当小さい場合、図１２の一点鎖線の矢印ＯＰのように風防部５６の上縁５９の上からスペースＳＰに外風が吹き込むこともあるが、その場合であっても、その吹き込んできた外風を遮るように壁部７６ｂの高さＨ２を設定するのが好ましい。本実施形態の壁部７６ｂの高さＨ２は、３０ｍｍ程度とされていることが好ましい。
また、壁部７６ｂは、上側に向うに従って除々に外側に位置するように傾斜した傾斜角θを有し、しかも、上端部７６ｃが外側に向かって折り返されるように曲げられている。これにより、侵入空間Ｓ１に入ってきた風を後述する通路部８０に導き易くしている。
【００４５】
底板部７６ａは、図１２に示すように、複数の土台７８の上に載置されると共に、本体部２のトッププレート７４に沿って配置され（図１２の場合、底板部７６ａとトッププレート７４とは略平行）、これにより、トッププレート７４と底板部７６ａとの間に所定の間隔Ｈ３をつくり、これが燃焼用の空気（二次空気）ＡＲ１の通り路となる通路部８０とされている。具体的には、侵入空間Ｓ１に入ってきた空気ＡＲ１は、燃焼による排気ガスＥＸによりガスバーナ１８側に吸い込まれて（煙突効果）通路部８０を通り、本体部内の下側からトッププレート７４の開口７４ａを通過して上昇する空気ＡＲ３と合流して、ガスバーナ１８に隣接する外側で上昇することになる。従って、火炎は横倒しになることもなく、無風状態と同様に立ち上がった火炎形状を得ることができる。
【００４６】
この通路部８０の半径方向（図１２のＸ方向）の長さＬ１は、侵入空間Ｓ１に入ってきた空気の流れが乱れたとしても、概ね整流できる長さを有するのが好ましく、図１２の長さＬ１は３４ｍｍ程度とされていることが好ましい。また、通路部８０の上下間隔（底板部７６ａとトッププレート７４との間隔）Ｈ３は、狭過ぎるとガスバーナ１８側に供給される二次空気の量が低減し、広過ぎると上述した整流効果が低くなるため、ほどよい間隔が好ましく、図１２の間隔Ｈ３は、５ｍｍ程度とされていることが好ましい。
また、底板部７６ａの内周側周縁部７６ｄが凹所７３の傾斜している内周部７３ｂに対応して傾斜することで、通路部８０の内側周縁部８０ａはガスバーナ１８に向うに従って上側となるように傾斜し、これにより、通路部８０を通過し終えた空気ＡＲ１を上昇し易くして、火炎の横倒しをより効果的に防止している。
さらに、通路部８０の内側周縁部８０ａはガスバーナ１８の火口１８ａより下に配置され、これにより、通路部８０を通過し終えた空気ＡＲ１が火口１８ａに当たることを防いで、火炎の横倒しを防止している。
【００４７】
なお、内側風防部７６を載置するための土台７８は、五徳を固定する手段でもあり、このため、内側風防部７６には、五徳７４ｃの脚部７５ａを挿通するための貫通孔（図示せず）が形成されている。そして、図１０に示すように、五徳７４ｃは壁部７６ｂの上端部７６ｃを跨いで四隅に固定され、これにより、内側風防部７６は本体部２に固定されている。
なお、図示しないが、風防部５６の上縁には、五徳７４ｃの上縁の内の最上端より高くなるように上側に突出した複数の突出部が設けられていても良い。このような突出部は、主に五徳７４ｃに載置された鍋類の横滑りを防止するストッパーとして機能する。即ち、本実施形態では、内側風防部７６と風防部５６との２重の風防手段を設けて熱が篭り易くなったため、耐熱性を考慮して五徳７４ｃをホーロー等で形成することが好ましい。しかし、ホーローは、滑り易いという問題がある。そこで、滑り易いホーローを用いた場合であっても、風防部５６の上縁に複数の突出部を設けることにより、鍋類の横滑りを防止することができる。
【００４８】
本実施形態は、以上のように構成されているので、上記第２実施形態の効果に加え、以下の効果を奏する。
本実施形態では、風防手段として内側の内側風防部７６と外側の風防部５６とが２重に配置されているため、強風による火炎の横倒しを効果的に防止できる。さらに、空気導入部６０や通路部８０を設けることで二次空気を適正に確保しつつ、空気導入部６０に対向する遮蔽部６４により、空気導入部６０を通過する風の勢いを弱めている。さらに、通路部８０を本体部２のトッププレート７４に沿わせて、風が通る際に冷却効果を発揮させ、また、連続する複数の空気導入部６０と複数の遮蔽部６４との間に風ＡＲ２を通り抜けさせて、通風による冷却効果を発揮させて、トッププレート７４、及びこんろ本体６２の加熱を防止している。
本発明の第３実施形態のカセットこんろは、基本的に以上のように構成される。
【００４９】
以上、本発明に係るカセットこんろについての種々の実施形態及び実施例を挙げて詳細に説明したが、本発明は、これらの実施形態及び実施例に限定されず、本発明の主旨を逸脱しない範囲において、種々の改良又は変更をしてもよいのはもちろんである。
【符号の説明】
【００５０】
１０、５０、７０  カセットこんろ
１２、５２、７２  バーナ収容部
１４  容器収容部
１６、５４  バーナ収容筐体
１８  ガスバーナ
１８ａ  火口
１８ｂ  ガス導管
２０、７４  トッププレート
２０ａ、７４ａ  開口
２０ｂ、７４ｂ  汁受け皿
２０ｃ、７４ｃ  五徳
２０ｄ、７４ｄ  頂板部
２１、２５、７４ｅ  底端部
２１ａ、２５ａ、７４ｆ  側壁
２２  容器収容筐体
２４  容器カバー
２６ａ  ガバナ
２６ｂ  マグネット式容器着脱装置
２８  操作つまみ
３０  第１底部
３０ａ、３０ｂ、３４ａ  凹部
３２  第１側壁部
３２ａ、３２ｂ、３２ｃ  第１、第２、第３側壁
３３、３７  頂部
３３ａ、３７ａ  立設壁
３３ｂ、３７ｂ  第１張出部
３３ｃ、３７ｃ  第１立設部
３４  第２底部
３６  第２側壁部
３６ａ、３６ｂ  第４、第５側壁
３８、６２  こんろ本体
４０  底部
４２  側壁部
４４  脚部
４６  イグナイタ（点火装置）
４６ａ  電極
４８  ピン
５６  風防部
５６ａ、５６ｂ、５６ｃ  風防壁
５８、５８ａ、５８ｂ  衝立部
５９  上縁
６０  空気導入部
６１  連通空間
６４  遮蔽部
６４ａ  上側板状部
６４ｂ  下側板状部
７３  凹所
７３ａ  外周部
７３ｂ  内周部
７３ｃ  中央領域
７５ａ、７５ｂ  脚部
７６  内側風防部
７６ａ  底板部
７６ｂ  壁部
７６ｃ  上端部
７６ｄ  内周側周縁部
７８  土台
８０  通路部
８０ａ  内側周縁部
【図１】
2018146119.tif 000003
【図２】
2018146119.tif 000004
【図３】
2018146119.tif 000005
【図４】
2018146119.tif 000006
【図５】
2018146119.tif 000007
【図６】
2018146119.tif 000008
【図７】
2018146119.tif 000009
【図８】
2018146119.tif 000010
【図９】
2018146119.tif 000011
【図１０】
2018146119.tif 000012
【図１１】
2018146119.tif 000013
【図１２】
2018146119.tif 000014
【図１３】
2018146119.tif 000015
【図１４】
2018146119.tif 000016
【図１５】
2018146119.tif 000017